Podtech/llm-jp-corpus-v4-ja_patent huggingface dataset:
(57)【要約】      （修正有）【課題】困難な作業を伴うことなく、ブレーキペダルブラケットを補強してブレーキペダルへの踏力の分散を抑え、ブレーキのコントロール性を高め、所定のブレーキ力で効果的な制動作用を行うブレーキペダルブレースを提供する。【解決手段】ブレーキ制動は、ブレーキペダル１を踏み込む動作によって、プッシュロッド２が前方に移動しマスターシリンダー４によって液圧に変換されるブレーキ装置によって制動作用が行われる。この時支点を軸に前後方向に摺動するブレーキペダルを保持するブレーキペダルブラケット５は、隔壁６にネジで固定される。この固定ネジ部７及びブレーキペダルブラケットの既設の孔を用いてブレーキペダルブレース８を繋ぐ。容易に設置出来、ブレーキペダルブラケットの変形を抑え、踏力がより確実にマスターシリンダーへ伝わることで、ブレーキの制動力の過度特性の立ち上がりを促す。【選択図】図１
0003210622.tif 000002
【実用新案登録請求の範囲】
【請求項１】
ブレーキペダルの支点軸を保持するブレーキペダルブラケットの上下、左右の既設のネジ部等に装着され支持されていることを特徴とするブレーキペダルブレース。
【請求項２】
請求項１のブレーキペダルブレースにおいてブレーキペダルブラケットが車体隔壁を挟みマスターバックと固定される既設のネジ部とブレーキブラケット上方等をブレーキペダルブレースで接続され支持されていることを特徴とするブレーキペダルブレース。
【請求項３】
請求項１又は請求項２のブレーキペダルブレースにおいてブレーキペダルブラケットが車体に固定されているネジ部以外の車体部とさらに接続され支持されていることを特徴とするブレーキペダルブレース。
【考案の詳細な説明】
【技術分野】
【０００１】  本考案は、自動車（等）のブレーキペダルに係わり、事後的に取り付けられるブレーキペダルブレースに関するものである。
【背景技術】
【０００２】  主に量産自動車のブレーキ制動時において、ブレーキペダルを踏み込む動作は、ブレーキを作動させるためのマスターシリンダーのピストンを押す力への変換のみならず、ブレーキペダルブラケットを変形させる力も伴う。その分、制動力の過度特性の立ち上がりが遅れる傾向がある。
【考案の概要】
【考案が解決しようとする課題】
【０００３】  ブレーキペダルブラケットの剛性を高めるためには、ブレーキペダルブラケットを取り外し、鉄板自体を厚くするなり、補強を施工するなど複雑で困難であった。【０００４】  本考案は、このような問題に着目してなされたもので、ブレーキペダルブレースの取り付け部を、車体とブレーキペダル及びブレーキペダルブラケットの特に剛性の必要な位置に簡単に取り付けることで、上記問題を解決することを目的とする。
【課題を解決するための手段】
【０００５】  上記目的を達成するために、本考案は、ブレーキペダルブラケットの上部と下部特に隔壁を挟み前方に位置するマスターシリンダーを固定する既設のネジ部に装着され、支持されることを特徴としている。
【考案の効果】
【０００６】  ブレーキ制動時において、ブレーキペダルを踏み込む動作によって、プッシュロッドが前方に移動しマスターシリンダーによって液圧に変換されブレーキ装置によって制動作用が行われる。この時、支点を軸に前後方向に摺動するブレーキペダルを保持するブレーキペダルブラケットがブレーキペダルブレースによって変形量が抑えられ、踏力がより確実にマスターシリンダーへ伝わることで、ブレーキの制動力の過度特性の立ち上がりを促す。
【図面の簡単な説明】
【０００７】
【図１】ブレーキペダルからマスターシリンダーまで配置状態の断面図である。
【図２】量産自動車の標準的なブレーキペダルとブレーキペダルブラケット、プッシュロッドの構造斜視図である。
【図３】本考察のブレーキペダルブレースの構成斜視図である。８ａと８ｂから構成する。
【図４】ブレーキペダルブラケットにブレーキペダルブレースを取り付けられた実施例の斜視図を示す。既設のネジ７ａ、７ｂ、７ｃ、７ｄ及び既設の孔５ａをボルト、ナットで締結する。
【考案を実施するための形態】
【０００８】以下、本考案を実施するための形態を図面に基づいて説明する。
【０００９】  図１には、本考案のブレーキペダルブレース設置状態の断面配置図が示されている。マスターシリンダー４のオイルシリンダーに連結するプッシュロッド２に接続されるブレーキペダル１は、ブレーキペダルブラケット５に支持軸が保持され、吊り下げられている。ブレーキペダルブラケット５は、エンジンルームと運転席を仕切る隔壁６に取り付けられている。特にマスターシリンダー４が接続するマスターバック３に既設されるネジ７が鉄板隔壁６を貫通しブレーキペダルブラケット５に締結される構造である。
【００１０】  量産自動車の標準的なブレーキペダルとプッシュロッド、ブレーキペダルブラケットの構成を図２に示す。ブレーキペダル１は踏む力によって支点を軸に前方に回転、ブレーキペダルアーム１ａに接続されるプッシュロッド２がマスターシリンダーを押す構造となっている。
【００１１】  本考案の事後的に取り付けるブレーキブレースの構成は図３で示す。ブレーキペダルブレースは鋼材等を精密板金、溶接等で成型される。ブレーキペダルブレースは、ブレーキペダルブラケットやマスターシリンダーの取り外しや再度組み付け等の作業を不要あるいは低減させ、容易に取り付け固定するためにブレーキペダルブレース８ａ及びブレーキペダルブレース８ｂ等の分割の構成としている。
【００１２】  図４に示すのは、ブレーキペダルブラケットに本考案のブレーキペダルブレースを施工した実施例である。ブレーキペダルブレース８ａ及びブレーキペダルブレース８ｂは、マスターバック３及び隔壁６とブレーキペダルブラケット５が締結されている既設のネジ７ａ、７ｂ、７ｃ、７ｄ及びブレーキペダル１の支点軸付近の部位例えば孔５ａ等を繋ぎボルトナット等で繋ぐ構造とされる。又ブレーキペダルブレース８ａとブレーキペダルブレース８ｂを連結させることで一体型の補強部材としての構造とすることができる。
【００１３】  以上、考案を実施するための形態を図面によって説明してきたが、具体的な構成は形態例に限られるものではなく、本考案の要旨を逸脱しない範囲における変更や追加等があっても考案に含まれる。
【符号の説明】
【００１４】１    ブレーキペダル
１ａ  ブレーキペダルアーム
２    プッシュロッド
３    マスターバック
４    マスターシリンダー
５    ブレーキペダルブラケット
５ａ  孔
６    隔壁
７    ネジ部
７ａ  ネジ
７ｂ  ネジ
７ｃ  ネジ
７ｄ  ネジ
８    ブレーキペダルブレース
８ａ  ブレーキペダルブレース構成１
８ｂ  ブレーキペダルブレース構成２
【図１】
0003210622.tif 000003
【図２】
0003210622.tif 000004
【図３】
0003210622.tif 000005
【図４】
0003210622.tif 000006
(57)【要約】      （修正有）【課題】天井面にあるシーリングソケット等よりダイレクトで安全かつ容易に接続できる吊り下げ式装飾灯を提供する。【解決手段】ＬＥＤ１を絶縁被膜を施した電線２に備え、電源基板３を内包する口金４と一体不可分にした構造であり、ＬＥＤ１を絶縁被膜を施した電線２に備えた光源部をフレキシブルに形状維持できる材質にすることで、配線の取り回し等による美観的課題をクリアすると共に、天井面のシーリングソケットから直に給電可能な構成にしている。【選択図】図１
0003210623.tif 000002
【実用新案登録請求の範囲】
【請求項１】
絶縁被覆を施した電線にＬＥＤを備え、その光源部を電源基板を内包した口金と一体不可分の構造にした吊り下げ式装飾灯。
【考案の詳細な説明】
【技術分野】
【０００１】この考案はＬＥＤを光源とした吊り下げ式の装飾灯に係り、美観を損なわず安全かつ容易に給電することを目的とした構造に関する。
【背景技術】
【０００２】従来のＬＥＤ装飾灯などの場合、ＬＥＤ発光部と電源装置部および給電プラグで構成されていることが知られているが、図２に示すように天井や壁面から吊り下げる場合には、延長コード等を用いて壁面下のコンセントに接続させるため、配線作業に大きな労力を強いられていた。【０００３】また、光源部を支持するフックの取付をはじめ、配線処理に労力を費やしても、設置結果としての美観的問題における対策方法がなかった。【０００４】これらの事は店舗等の装飾目的において致命的な課題であった。
【考案の概要】
【考案が解決しようとする課題】
【０００５】従来、施工工事を伴わない後付けの装飾灯の場合、電源は床面もしくは近隣する壁面のコンセントから採らなくてはならなかった。この問題に対し、新たに天井面やその近隣の壁面にコンセントを設けたり、店舗等の場合には既存の配線ダクトから変更アダプター等で給電対策をおこなっていたが、電源装置の露出等、美観的課題の解決には至らなかった。
【課題を解決するための手段】
【０００６】この考案は、従来の電球型ＬＥＤランプからグローブを取った構成により、口金からの給電を可能にし、既存の照明器具や変換アダプター等を介すことで、天井面にあるシーリングソケット等より最短経路で簡単に設置できる。さらにＬＥＤ電球においてフィラメントにあたる発光部には絶縁被膜を施した電線にＬＥＤを備えることで、安全かつ容易に電気的装飾ができる構造にしている。
【考案の効果】
【０００７】天井面に設備されているシーリングソケットや配線ダクトから直に給電できるため床面近くからの不要な配線がなくなり、美観を損なわない装飾ができる。
【図面の簡単な説明】
【０００８】
【図１】当該吊り下げ式装飾灯の一実施例を示す側面図である。
【図２】従来装飾灯を吊り下げるための一例のイラスト図である。
【考案を実施するための形態】
【０００９】以下、図に示す実施例に基づきこの考案を記述する。なお、これによってこの考案が限定されるものではない。
【００１０】図１に示す通りＬＥＤ１を絶縁被膜を施した電線２に備え、電源基板３を内包する口金４と一体不可分にした構造である。
【００１１】また、ＬＥＤ１を絶縁被膜を施した電線２に備えた光源部はフレキシブルに形状維持できる材質である。
【００１２】なお、この実施例では装飾灯を用いて説明しているが、同様の構成を用いれば、他形態のＬＥＤ照明器具に適用することも可能である。
【符号の説明】
【００１３】ａ  電源装置
ｂ  延長コード
ｃ  壁コンセント
１  ＬＥＤ
２  絶縁被膜付電線
３  電源基板
４  口金
【図１】
0003210623.tif 000003
【図２】
0003210623.tif 000004
(57)【要約】      （修正有）【課題】面倒と手間がかからず、簡便に、効率良く、かきまぜができる納豆の回転まぜ合わせ器を提供する。【解決手段】納豆のカップの蓋本体１の上部の中心に、回転ハンドル２を装着し、その下部に直結した納豆のまぜ合わせ棒３が連動して回転するようにし、納豆のカップが持ちやすいように指掛け４を装備して、納豆のかきまぜを簡便にできるようにした。【選択図】図１
0003210624.tif 000002
【実用新案登録請求の範囲】
【請求項１】
納豆の蓋本体１の上部の中心に、回転ハンドル２を装着し、その下部に直結した納豆のまぜ合わせ棒３が連動して回転するようにし、納豆のカップが持ちやすいように指掛け４を装備した、納豆の回転まぜ合わせ器。
【考案の詳細な説明】
【考案の詳細な説明】
【考案が解決しようとする課題】
【０００１】  従来は納豆のかきまぜは箸等でまぜていたが、面倒と手間がかかり、あまり良くまぜ合わせができなく、効率が悪く不便であった。
【課題を解決するための手段】
【０００２】  上記目的を達成するために、納豆カップに蓋本体１をのせて、指掛け４に左手の親指と人差し指を添えて持ち、カップの底を薬指で支え、右手で回転ハンドル２を回せば、その下部に直結しているまぜ合わせ棒３が回転して、納豆のまぜ合わせが簡便にできるようにした。
【考案の効果】
【０００３】  この納豆の回転まぜ合わせ器を使用すれば、これまでより面倒な手間がかからく簡便に能率的にできる。
【図面の簡単な説明】
【図１】納豆の回転まぜ合わせ器を、納豆カップにのせた透視側面図である。
【図２】納豆の回転まぜ合わせ器を、納豆カップに蓋本体１をのせて、指掛け４に左手の親指と人差し指を添えて持ち、カップの底を薬指で支えて持った立体図である。
【符号の説明】  １  蓋本体
２  回転ハンドル
３  納豆のかきまぜ棒
４  指掛け
【図１】
0003210624.tif 000003
【図２】
0003210624.tif 000004
(57)【要約】      （修正有）【課題】レンチキュラーレンズを用いて個人情報の保護を可能にする、臓器提供意思表示シールを提供する。【解決手段】臓器提供意思表示欄１と、臓器提供意思表示欄以外の画像２を細長く短冊状に切ったものをインターレース状に順番に並べて一枚の合成画像３を印刷し、画像面の裏面に粘着層を形成しシールにし、画像面にはレンチキュラーレンズシートを接着し、携帯電話又はICカードに貼付出来る臓器提供意思表示シールとして作成することを特徴とする。【選択図】図１
0003210327.tif 000002
【実用新案登録請求の範囲】
【請求項１】
臓器提供意思表示欄と、臓器提供意思表示欄以外の画像を細長く短冊状に切ったものをインターレース状に順番に並べて一枚の合成画像を印刷し、画像面の裏面に粘着層を形成しシールにし、画像面にはレンチキュラーレンズシートを接着した、臓器提供意思表示シール。
【請求項２】
臓器提供意思表示欄と、臓器提供意思表示欄以外の画像を細長く短冊状に切ったものをインターレース状に順番に並べて一枚の合成画像を印刷し、画像面の裏面に粘着層を形成しシールにし、画像面にはレンチキュラーレンズシートを接着した、携帯電話又はICカードに貼付する臓器提供意思表示シール。
【考案の詳細な説明】
【技術分野】
【０００１】
本考案は、レンチキュラーレンズを用いて個人情報の保護を可能にする臓器提供意思表示シールに関するものである。
【背景技術】
【０００２】
従来、臓器提供意思表示欄の存在しない健康保険証や運転免許証において、それらの裏面の備考欄以外に意思表示シールを貼付し、臓器提供意思表示を行っていた。（例えば、非特許文献１対応）また、臓器提供意思表示欄の存在する健康保険証や運転免許証において、臓器提供意思表示欄を覆い隠すシールが存在していた。（例えば非特許文献１対応）
【先行技術文献】
【非特許文献】
【０００３】
【非特許文献１】"意思表示の方法 | グリーンリボンキャンペーン"、［online］、日本臓器移植ネットワーク、［平成２８年１１月２１日検索］、インターネット〈URL: http://www.green-ribbon.jp/donation/〉
【考案の概要】
【考案が解決しようとする課題】
【０００４】
これには次のような欠点があった。
従来の臓器提供意思表示シールは、健康保険証や運転免許証への貼付についてのみ考えられており、あくまで後発の臓器提供意思表示欄が添付された健康保険証や運転免許証に移行するための一時的な措置でしかなく、現在の臓器提供意思表示の普及においてはあまり寄与していない。また、従来の、臓器提供意思表示欄を隠すためのシールは、健康保険証や運転免許証の臓器提供意思表示欄を覆い隠し、個人情報を保護するものであり、臓器提供意思表示欄の上に貼付する必要があった。
本考案は以上のような欠点を解決するためのものである。
【課題を解決するための手段】
【０００５】
臓器提供意思表示欄と、それ以外の画像を細長く短冊状に切ったものをインターレース状に順番に並べて一枚の合成画像を印刷し、画像面の裏面に粘着層を形成しシールにし、画像面にはレンチキュラーレンズシートを接着し、携帯電話又はICカードに貼付する臓器提供意思表示シールとして作成する。
本考案は、以上の構成よりなるレンチキュラーレンズを用いた臓器提供意思表示シールである。
【考案の効果】
【０００６】
本考案は、常時持ち歩く携帯電話又はICカードに臓器提供意思表示欄を貼付することを可能にし、臓器提供意思表示の普及に役立つ。また、レンチキュラー印刷によって、臓器提供意思表示欄とは異なるデザインを同時に印刷することで、デザインの自由度を高めると共に、臓器提供意思表示欄を周りから見え辛くし、個人情報の保護に役立つ。
【図面の簡単な説明】
【０００７】
【図１】合成画像（３）を製造する過程の説明図
【図２】本考案の断面図
【図３】本考案を貼付した携帯電話の斜視図
【図４】本考案を貼付したICカードの斜視図
【考案を実施するための形態】
【０００８】
以下、本考案を実施するための形態について説明する。
臓器提供意思表示欄（１）と、臓器提供意思表示欄以外の画像（２）を細長く短冊状に切ったものをインターレース状に順番に並べて一枚の合成画像（３）として印刷する。
印刷した合成画像（５）の裏に粘着層（６）を形成しシールにする。
合成画像（５）の上にレンチキュラーレンズシート（４）を接着し、一枚のシール（７）を作成する。
本考案を利用する時は、携帯電話（８）又はICカード（９）に貼付して使用する。
【符号の説明】
【０００９】
１  臓器提供意思表示欄
２  臓器提供意思表示欄以外の画像
３  １と２をインターレース状に順番に並べた合成画像
４  レンチキュラーレンズシート
５  ３を印刷したシート
６  粘着質層
７  ４、５、６を一枚にしたシール
８  携帯電話
９  ICカード
【図１】
0003210327.tif 000003
【図２】
0003210327.tif 000004
【図３】
0003210327.tif 000005
【図４】
0003210327.tif 000006
(57)【要約】【課題】  プラスチック製の風呂椅子の肌触りや座り心地を改善する。【解決手段】  座板２に排水孔４を有する椅子本体１と、上記座板に載置するためのクッション１０の組み合わせからなる風呂椅子において、弾性に飛んだ素材により構成されるクッションの下面に椅子本体の排水孔に嵌入可能な突起１１を垂設するとともに上記の突起に貫通孔１２を設ける。【選択図】  図２
0003210353.tif 000002
【実用新案登録請求の範囲】
【請求項１】
座板に排水孔を有する椅子本体と、上記座板に載置するためのクッションの組み合わせからなる風呂椅子において、弾性に飛んだ素材により構成されるクッションの下面に椅子本体の排水孔に嵌入可能な突起を垂設するとともに上記の突起に貫通孔を設けたことを特徴とする風呂椅子。
【考案の詳細な説明】
【技術分野】
【０００１】
本願考案は、浴室で使用するための風呂椅子に関する。
【背景技術】
【０００２】
人が浴室内で体や髪の毛を洗う際に腰掛けるための椅子が広く使用されている。この種の椅子はかっては木製であったが、現在はプラスチック製のものが主流となっている。
【０００３】
しかしながら、肌触りが柔らかく、また保温性に富んでいる木製の椅子に比べ、プラスチック製の椅子はそれが耐久性を考慮し硬質のプラスチックで成型されていることも相まって硬くて肌触りが悪く、また冬場には冷えてひやっとした感触を与える問題があった。
【０００４】
前記の問題を解決するために、椅子本体に、その座板に載置するためのクッションを組み合わせることが公知であった（特許文献１〜３）。
【先行技術文献】
【特許文献】
【０００５】
【特許文献１】実開平５−４８７８５号公報
【特許文献２】実開平４−８６４９１号公報
【特許文献３】特開２００２−１４３０２０号公報
【考案の開示】
【考案が解決しようとする課題】
【０００６】
前記の公知考案によれば、椅子本体と人体に接するクッションを別部材として構成することにより、クッションを椅子本体とは係わりがない素材により構成することができ、例えば弾力性と柔軟性に富んだ発泡プラスチックなどにより構成すれば、柔らかく肌触りの良好な風呂椅子を実現することが可能となる。
【０００７】
しかしながら、クッションは単に椅子本体の座板に載置してあるだけなので、それを前記の発泡プラスチックなどにより構成した場合、軽量であることも相まってシャワーの水があたるなどのちょっとした拍子に椅子本体から離脱してしまう問題があった。
【０００８】
また、椅子に腰掛けた際に椅子から滑り落ち、運動神経が鈍っている高齢者の場合は予想もしないような事故を引き起こす危険があった。
【課題を解決するための手段】
【０００９】
本願考案は以上の従来技術の問題点を解消した風呂椅子を提供することを目的として創作されたものであり、座板に排水孔を有する椅子本体と、上記座板に載置するためのクッションの組み合わせからなる風呂椅子において、弾性に飛んだ素材により構成されるクッションの下面に椅子本体の排水孔に嵌入可能な突起を垂設するとともに上記の突起に貫通孔を設けたことを特徴とする。
【考案の効果】
【００１０】
本願考案の風呂椅子によれば、椅子本体と人体に接するクッションを別部材として構成することにより、クッションを椅子本体とは係わりがない素材により構成することができ、例えば弾力性と柔軟性に富んだ発泡プラスチックなどにより構成すれば、柔らかく肌触りの良好な風呂椅子を実現することが可能となるばかりでなく、椅子本体の排水孔を利用してそこにクッションの突起を嵌入するので、椅子本体に対してクッションが不用意に離脱することが防止される。
【図面の簡単な説明】
【００１１】
【図１】本願考案の風呂椅子の組み立て前の斜視図。
【図２】同上、クッションの下面を示した組み立て前の斜視図。
【図３】同上、組み立て状態の斜視図。
【図４】本願考案の風呂椅子の図３のＡ−Ａ線断面図。
【図５】本願考案の風呂椅子の図３のＢ−Ｂ線断面図。
【考案を実施するための最良の形態】
【００１２】
以下、本願考案の風呂椅子の具体的実施例を添付図面に基づいて説明する。図中符号１は風呂椅子の本体である。この本体は座板２の下面から複数本の脚部３を垂設した公知の構造のものであり、ここでは機械的な強度が高く表面硬度も高いポリプロピレンにより成型している。図中符号４は風呂椅子の本体１の座板２に設けられた公知の排水孔である。座板２は人の臀部に馴染むように中央に向かって軽く窪ませてあるが、上記排水孔４はその場合に座面に湯が溜まらないように排水するためのものである。
【００１３】
図中符号１０は前記風呂椅子の本体１の座板２に取り付けられるクッションである。このクッション１０はここでは柔軟性と弾力性に富んだ発泡プラスチックであるＥＶＡ樹脂（エヴァ樹脂) により成型されるものであり、座板２の座面の形状に馴染むような形状に構成される。図中符号１１は前記のクッション１０の下面に垂設される突起であり、貫通孔１２が設けられれる。この突起１１は椅子本体１の排水孔４に嵌入可能なものである。
【００１４】
以上の構成よりなる本願考案の風呂椅子は必要に応じてクッション１０を本体１の座板２に取り付けて使用に供したり、清掃時には両者を分離したりすることができる。
【符号の説明】
【００１５】
１        風呂椅子の本体
２        座板
４        排水孔
１０        クッション
１１        突起
１２        貫通孔
【図１】
0003210353.tif 000003
【図２】
0003210353.tif 000004
【図３】
0003210353.tif 000005
【図４】
0003210353.tif 000006
【図５】
0003210353.tif 000007
(57)【要約】      （修正有）【課題】機器の装着感を極力抑えてピストン運動をしないで射精させ、あたかも夢精で射精したような感覚が得られる夢精疑似体感器を提供する。【解決手段】円盤状または角板状の振動子１、２をコンドーム３の上からペニス亀頭部の上に１個及び下に１個を付けてその外側を伸縮性のあるビニールテープ８で巻いて固定する。電池ＢＯＸ５のスイッチ６を入れて振動子１、２を振動させることにより、機器の装着感を極力抑えてピストン運動をしないで射精させる。【選択図】図２
0003210301.tif 000002
【実用新案登録請求の範囲】
【請求項１】
振動子１及び２をコンドームの上からペニス亀頭部の上下に付け、その外側をビニールテープで巻いて固定する。
振動子１の振動により射精し、夢精のような体感が得られる夢精疑似体感器。
【請求項２】
請求項１において、コンド−ムの外側に器具を付けるので清潔で処理が簡単である。
振動子１及び２の固定には、ビニールテープを使うのでペニスの大小にかかわらずフィットする。
【請求項３】
請求項１において、振動子１及び２は円盤状または角板状で厚さが1mm〜5mm、直径または１辺が10mm〜30mmで且つ、その振動強度が1.0G〜5.0Gの夢精疑似体感器。
【請求項４】
請求項２において、ビニールテープは一般電気関係用のビニールテープを使用する。
幅は18mm程で伸縮性のあるものが適している。
【考案の詳細な説明】
【技術分野】
【０００１】
本考案の夢精疑似体感器は、機器の装着感を極力抑えてピストン運動をしないで射精させる機器に関するものである。
【考案の概要】
【０００２】
次に、図面に基づいて本考案の概要を説明する。
図１は本考案の夢精疑似体感器で、振動子１及び２をビニールテープで固定していない状態の図である。
振動子１はコンドームを装着したペニス亀頭部の上側に、振動子２は下側に付けた状態。
図２は図１の状態からビニールテープにより振動子１及び２を固定した状態。
【０００３】
図１の振動子１及び２は同じもので、円盤状または角板状で厚さが1mm〜5mm、直径または１辺が10mm〜30mmで且つ、その振動強度が1.0G〜5.0Gのものが好ましい。
【０００４】
図１のようにコンドームの外側に振動子１及び２を付けるので清潔で処理が簡単である。
図２のように振動子１及び２の固定には、ビニールテープを使うのでペニスの大小にかかわらずフィットする。
【０００５】
図２で使用するビニールテープは一般電気関係用のビニールテープで、幅は18mm程で伸縮性のあるものが適している。
【０００６】
ビニールテープを巻いた後、電池BOXのスイッチをONにする。すると通電線を伝わって振動子１及び２に通電され振動する。この後、射精し夢精疑似体感が得られる。
【０００７】
上記の振動子は２個ですが、複数使用することも可能である。またペニスのどの部位に付けてもビニールテープで固定できれば使用可能である。
【考案が解決しようとする課題】
【０００８】
従来のアダルトグッズは、振動とピストン運動により射精していました。しかも機器の装着感があり挿入するものが一般的でした。
本考案は、機器の装着感を極力抑えてピストン運動をしないで射精させ、あたかも夢精で射精したよう
な感覚が得られるものを課題とする。
【課題を解決するための手段】
【０００９】
請求項１に記載の本考案は、薄型の振動子を使いビニールテープを巻いて固定することにより装着感を極力抑えて射精させる夢精疑似体感器である。
【図面の簡単な説明】
【００１０】
【図２】本発明に係る夢精疑似体感器の好ましい実施形態を示す全体構成図である。
【図１】上記実施形態における振動子を固定するビニールテープを取り除いた図である。
【符号の説明】
【００１１】
１  振動子１
２  振動子２
３  コンドーム
４  通電線
５  電池ＢＯＸ
６  電源スイッチ
７  ペニス
８  ビニールテープ（保持手段）
【図１】
0003210301.tif 000003
【図２】
0003210301.tif 000004
【手続補正書】
【提出日】平成29年3月2日(2017.3.2)
【手続補正１】
【補正対象書類名】実用新案登録請求の範囲
【補正対象項目名】全文
【補正方法】変更
【補正の内容】
【実用新案登録請求の範囲】
【請求項１】
振動子１及び２をコンドームの上からペニス亀頭部の上下に付け、その外側を
ビニールテープで巻いて固定し振動させることによって夢精のような体感が得ら
れる夢精疑似体感器。
【請求項２】
請求項１において、コンド−ムの外側に器具を付けるので清潔で処理が簡単で
あり、振動子１及び２の固定にはビニールテープを使うのでペニスの大小にかか
わらずフィットする夢精疑似体感器。
【請求項３】
請求項１において、振動子１及び２は円盤状または角板状で厚さが１ｍｍ〜５
ｍｍ、直径または１辺が１０ｍｍ〜３０ｍｍで且つ、その振動強度が１Ｇ〜５Ｇ
の夢精疑似体感器。
【請求項４】
請求項１において、ビニールテープは電気関係用を使用し、ビニールテープの
幅は１８ｍｍ程で伸縮性を有する夢精疑似体感器。
(57)【要約】      （修正有）【課題】倉庫内等において、フォークリフトの衝突による柱の基部の損傷を防止する柱の基部の保護構造を提供する。【解決手段】剛性を有する円筒体が軸方向において分割された筒体割片５を、建造物における柱１の基部７を囲むように配置するとともにその分割位置で接合して円筒囲い体２とし、柱１の基部７と円筒囲い体２との間に弾性材３を充填してなる。【選択図】図２
0003210308.tif 000002
【実用新案登録請求の範囲】
【請求項１】
剛性を有する円筒体が軸方向において分割された筒体割片を、建造物における柱の基部を囲むように配置するとともにその分割位置で接合して円筒囲い体とし、前記柱の基部と前記円筒囲い体との間に弾性材を充填してなることを特徴とする柱の基部の保護構造。
【請求項２】
前記円筒体が鉄製である請求項１記載の柱の基部の保護構造。
【請求項３】
前記弾性材がウレタンフォームである請求項１記載の柱の基部の保護構造。
【考案の詳細な説明】
【技術分野】
【０００１】  この考案は、倉庫内等における柱の基部の保護構造に関する。
【背景技術】
【０００２】  ラックが配置された倉庫内においてはフォークリフトが汎用され、ラックから運搬車に、運搬車からラックに物品を搬送するように倉庫内を移動している。一方、大きな倉庫には多数本の柱が存在し、したがって、その移動搬送時にフォークリフトの下部やフォーク端が接触して柱の基部が損傷する問題が多々発生している。柱は損傷することで劣化が進み、また、見栄えが悪くなる。
【考案の概念】
【考案が解決しようとする課題】
【０００３】  この考案では、フォークリフトが衝突しても柱の基部が損傷することがないようにすることを目的とする。
【課題を解決するための手段】
【０００４】  この考案では、剛性を有する円筒体が軸方向において分割された筒体割片を、建造物における柱の基部を囲むように配置するとともにその分割位置で接合して円筒囲い体とし、前記柱の基部と前記円筒囲い体との間に弾性材を充填してなることを特徴とする柱の基部の保護構造を提供する。
【０００５】  上記構成によれば、柱の基部の周囲に円筒囲い体が弾性材で支持される状態で設けられることで、フォークリフトが柱に接触して傷つけることがない。また、フォークリフトが円筒囲い体に接触しても、円筒囲い体の外面が湾曲円周面であることで滑りやすくて衝撃が小さく、かつ、その衝撃が弾性材に吸収されることで円筒囲い体、フォークリフトともに損傷することが回避される。
【０００６】    円筒体としは鉄製のものが好適に用いられるが、剛性を持つものであれば適宜のものが使用可能である。
【０００７】  弾性材としては充填成形可能なウレタンフォームが好適に用いられる。成形充填されたウレタンフォームが柱面と円筒囲い体面とに密着することで、円筒囲い体の固定配置が容易、かつ、安定して行われる。
【考案の効果】
【０００８】  この考案によれば、倉庫内等におけるフォークリフトの接触による柱の損傷を確実に防止できるようになる。
【図面の簡単な説明】
【０００９】
【図１】  この考案の柱の基部の保護構造を示す斜視図
【図２】  この考案の柱の基部の保護構造を示す縦方向断面図
【図３】  この考案の柱の基部の保護構造を示す横方向断面図
【図４】  この考案の柱の基部の保護構造において用いる筒体割片を示す斜視図
【考案を実施するための形態】
【００１０】  図１は柱の基部の保護構造を示す斜視図、図２は同縦方向断面図、図３は横縦方向断面図である。
【００１１】  １は床面１０に立設された角筒形態の柱、２は円筒囲い体、３はウレタンフォーム（弾性材）である。円筒囲い体２は肉厚が６ｍｍで、図４に示す鉄製の円筒体が軸方向において２分割された一対の筒体割片５のそれぞれが柱１の基部７を囲うように配置されるとともに、その分割位置で溶接接合８されて一体となっている。
【００１２】  柱１の一辺長さは４０ｃｍ、円筒囲い体２の直径は６０ｃｍで、ウレタンフォーム３は柱１の基部７と円筒囲い体２との空間にウレタン材料溶液が流入されて発泡固化されることで設けられ、柱１面と円筒囲い体２面とに密着し、これにより円筒囲い体２は固定配置されている。成形充填されるウレタンフォーム３により円筒囲い体２の固定配置が容易、かつ、安定して行われる。
【００１３】  上記のように柱１の基部７の周囲に円筒囲い体２が設けられることで、フォークリフトが直接柱１に接触して傷つけることがない。また、仮にフォークリフトが円筒囲い体２に接触しても、円筒囲い体２の外面が湾曲した円周面であることで滑りやすくて衝撃が小さく、かつ、その衝撃がウレタンフォーム３に吸収されることで円筒囲い体２、フォークリフトともに損傷することが回避される。
【符号の説明】
【００１４】  １    柱
２    円筒囲い体
３    ウレタンフォーム（弾性材）
７    基部
【図１】
0003210308.tif 000003
【図２】
0003210308.tif 000004
【図３】
0003210308.tif 000005
【図４】
0003210308.tif 000006
(57)【要約】      （修正有）【課題】藁で長靴（ショートブーツを含む）状に編んだ履物であって、長靴を履いた状態で履ける構造からなるふかぐつを提供する。【解決手段】ふかぐつ１は、藁で作った長靴状であり、その上端が開くようにその立ち上がりの側面個所には上端から下方へ向けて縦方向にスリット２が設けられており、長靴等の外履を履いたまま足を入れた後にスリット２を合わせ閉じるための固定部材３が設けてある。【選択図】図１
0003210310.tif 000002
【実用新案登録請求の範囲】
【請求項１】
藁で作った長靴状であり、その上端が開くようにその立ち上がりの側面個所には前記上端から下方へ向けて縦方向にスリットが設けられ、足を入れた後に前記スリットを合わせ閉じるための固定部材が設けてあることを特徴とするふかぐつ。
【考案の詳細な説明】
【技術分野】
【０００１】  本考案は、藁で長靴（ショートブーツを含む）状に編んだ履物であって、ふかぐつ、わらぐつ、ゆきぐつ、ふんごみ等と称されるもの（以下、「ふかぐつ」と言う。）に関するものである。
【背景技術】
【０００２】  魚釣りや沢登りや登山等において、滑りやすい場所の歩行を補助するため、靴に装着して用いる草鞋状の靴用滑止靴底が知られている（特許文献１参照）。【０００３】  これとは別に、北海道、東北、信越、北陸等の各地方、特に降雪地域において、積雪時の労働や歩行時の防寒と保護のために、前方だけでなく踵部分からの立ち上げがある藁で作った履物であるふかぐつがある（非特許文献１参照）。【０００４】  斯かるふかぐつは、本来は素足で履くものであるが、藁で長靴状に編んで作るため、最初は暖かいものの時間が経過すると中まで濡れてくるため、現代においては、前述した実用品としてだけでなく観光用や体験学習用等のレジャーやレクレーション用品として用いられており、また、伝承民芸品として販売されている。
【先行技術文献】
【特許文献】
【０００５】
【特許文献１】特開２０１１−１３９８７７号公報
【非特許文献】
【０００６】
【非特許文献１】「Ｗｉｋｉｐｅｄｉａ（ｈｔｔｐｓ：／／ｊａ．ｗｉｋｉｐｅｄｉａ．ｏｒｇ／ｗｉｋｉ／）」における『ふかぐつ』の項目
【考案の概要】
【考案が解決しようとする課題】
【０００７】  前述の通り、斯かるふかぐつは、長時間の使用や水分の多い雪面での使用には、防水性の点において問題がある。
【課題を解決するための手段】
【０００８】  本考案のふかぐつは、藁で作った長靴状であり、その上端が大きく開くようにその立ち上がりの側面個所には前記上端から下方へ向けて縦方向にスリットが設けられ、足を入れた後にスリットを合わせ閉じるための固定部材が設けてある。
【考案の効果】
【０００９】  本考案に係るふかぐつは、長靴等の外履を履いた状態で履ける構造となっている。
【図面の簡単な説明】
【００１０】
【図１】  本考案の実施例の説明図である。
【図２】  同上の説明図である。
【考案を実施するための形態】
【００１１】  本考案に係るふかぐつは、藁で作った長靴状であり、その上端が開くようにその立ち上がりの側面個所には前記上端から下方である踝付近へ向けて縦方向にスリットが設けられ、足を入れた後にスリットを合わせ閉じるための固定部材が前記スリットの縦方向の中間部から上部へ至る間の何れかに少なくとも１個所に設けてあり、長靴等の外履を履いた状態で履ける構造であることから、長時間の使用においても違和感なく装着することができる。
【実施例】
【００１２】  以下、添付図面に基づいて本考案の実施例を説明する。【００１３】  ふかぐつ１は、前方だけでなく踵部分からの立ち上げがある藁で作った長靴状であり、前記立ち上がりの上端は、膝下から脹脛の間に位置する。【００１４】  このふかぐつ１の前記立ち上がりの内側側面個所には、上端から下方である踝付近へ向けて縦方向に１個のスリット２が設けられてその上端で大きく開く構成となっており、例えば長靴等の外履を履いた状態で履ける構造となっている。【００１５】  そして、前記上端部には、足を入れた後に前記上端を合わせ閉じるための２本の麻紐からなる固定部材３が設けてある。【００１６】  ４は、深い雪原や雪道等の足が埋まりやすい動作困難場所を歩行等する際に装着される所謂かんじき（図示しない）と称される積雪地歩行補助具をふかぐつ１に固定するため、ふかぐつ１の外周の足首付近に設けた取付紐である。【００１７】  なお、図示したふかぐつ１は、右足用の一方のみであり、他方の左足用も同様の構成であるが、図面では省略していると共に、使用前を示す図では、ふかぐつ１の内側の藁模様を省略している。【００１８】  斯かる構成のふかぐつ１は、長時間の使用や水分の多い雪面での使用においても、長靴等の外履を履いていることから不快感なく使用することができる。【００１９】  なお、スリット２は、内側側面個所に限定されるものではなく、外側側面個所、前側側面個所、後側側面個所のように側面個所の何れかに設ければ良く、２個以上の複数個設けることもできるが、履いたり脱いだりする際の手間を考慮すると１個が望ましい。【００２０】  また、前記上端を閉じるための固定部材３は、前記紐ではなく、金属製のフックなどの他の部材にて構成することもできるし、図示した上端部および／またはスリット２の中間部に設けることもでき、スリット２の縦方向の中間部から上部へ至る間の何れかに少なくとも１個所に設ければ良い。【００２１】  以上述べた通り、本考案に係るふかぐつ１は、全く馴染みのない者にとっても違和感なく使用することができ、ふかぐつ１の本来の特徴である雪道での滑り防止機能等という実用用途や土産用途等に加えて、新たなファッション用品等としての新規用途を創出するものである。
【符号の説明】
【００２２】１  ふかぐつ
２  スリット
３  固定部材
４  取付紐
【図１】
0003210310.tif 000003
【図２】
0003210310.tif 000004
(57)【要約】      （修正有）【課題】キッチン対面式カウンター上部空間の有効利用設置で、狭い台所と食堂が共有出来る回動式マルチ戸棚を提供する。【解決手段】マルチ戸棚１内部の剛性中背板２の上下位置芯に、戸棚固定蝶番板１４を止めたあとに、設置壁小口２０に垂直に固定した長尺蝶番１２の、上下対称の回転受板１３を挟み込み、回転軸ボルト１５を入れ締め付け調整して、台所と食堂を自在に回動と共有利用が出来る構成とした。【選択図】図５
0003210303.tif 000002
【実用新案登録請求の範囲】
【請求項１】
キッチン対面式カウンターの壁小口に取り付けた長尺蝶番に、マルチ戸棚を回動可能に取り付け、台所側と食堂側から共有利用を可能にしたことを特徴とする、回動式マルチ戸棚。
【請求項２】
前記マルチ戸棚は、内部の剛性中背板で２分して、表側は食器類棚、裏側は生活必需小物や状差し棚としたことを特徴とする、請求項１記載の回動式マルチ戸棚。
【請求項３】
前記長尺蝶番は、上下対称に回転受板を溶接固定して精度の確保を図るとともに、背面に両面テープを貼って設置壁小口に貼り付け即ビス固定することにより、簡単に取り付けられることを特徴とする、請求項１又は請求項２記載の回動式マルチ戸棚。
【請求項４】
前記マルチ戸棚下部に、荷重バランスに伴う偏芯応力を補う、回動補助サポートを設けたことを特徴とする、請求項１から請求項３のいずれか記載の回動式マルチ戸棚。
【考案の詳細な説明】
【技術分野】
【０００１】  本考案は、マンション等のキッチン対面式カウンター付き台所と食堂の改善及び主婦の省力化を考慮した、回動式マルチ戸棚に関するものである。
【背景技術】
【０００２】  従来のマンション等の台所は狭く、特にオープンタイプはハッチタイプに比べて戸棚が取り付くスペースが少なく不便を来たしていた。【０００３】  特許文献１（参照）は蝶番２枚吊りの飾棚仕様で、設置場所や戸棚の構造等は全く異なっている。本考案は、狭い台所の改善と主婦の省力化である。
【先行技術文献】
【特許文献】
【０００４】
【特許文献１】実公  昭３８−５１５５号  公報
【考案の概要】
【考案が解決しようとする課題】
【０００５】  上記に述べたマンション等は、全体の間取りが狭く台所はタタミ２〜３帖程度の広さが一般的で、特にオープンタイプはハッチタイプよりも戸棚類が非常に少なく収納に不便を来たしていた。【０００６】  本考案は、このような不便を解決しようとするものであり、対面式カウンター上部空間の有効利用で、台所と食堂に共有出来る仕様の回動式マルチ戸棚を実現することを目的とするものである。
【課題を解決するための手段】
【０００７】  本考案は、マルチ戸棚内部の剛性中背板、上下位置芯に戸棚固定蝶番板を止め、設置壁小口に垂直に固定した長尺蝶番の上下回転受板を挟み込んで、回転軸ボルトを入れ締め付け調整して、台所と食堂を自在に移動と共有利用が出来る、回動式マルチ戸棚を設けて解決する。
【考案の効果】
【０００８】  上述の様に、本考案の回動式マルチ戸棚は、対面式カウンター上部空間の有効利用で、両室の機能を共有した収納戸棚が設置され、台所の改善と主婦の省力化に寄与しゆる。【０００９】  前記回動式マルチ戸棚の大きな構造仕組みは、本体の主要が内部の剛性中背板で戸棚の四方を固定させたのが特徴である、また荷重バランスに伴う偏芯応力は下部の回動補強サポートに補わせた。【００１０】  前記剛性中背板で２分された表側の食器類棚スペースは、常時両方で使用する調味料・炊事具・食器等を考慮した棚配列とし、裏側の小物類棚スペースは日常の生活必需小物や状差し棚として、特に小物用Ｌ型差し込み小棚は透明材を使用することにより目視可能で探す手間が省ける等、生活の重要ボックスとなっている。
【図面の簡単な説明】
【００１１】
【図１】  本考案の回動式マルチ戸棚のキッチンオープンタイプの設置位置図である。
【図２】  同回動式マルチ戸棚のキッチンハッチタイプの設置位置図だある。
【図３】  同回動式マルチ戸棚の平面図である。
【図４】  同回動式マルチ戸棚の左側は表面図と右側は回転後の裏面図である。
【図５】  同回動式チ戸棚の上下の側面図と中央は断面詳細図である。
【考案を実施するための形態】
【００１２】  以下本考案の実施の形態を添付図面、図１〜図５に基づいて説明する。
【００１３】  図において、マルチ戸棚１の構成は、内部の剛性中背板２を主軸に四方の両側板３と天板４と底板５を頑丈に組み込ませた。表側は両開き扉６付きと裏側は直接小物類棚の配列、下部には回動補助サポート１５を取り付け、対面式カウンター１８を反力としている。
【００１４】  上記の内部は、剛性中背板２で２分され、表側は食器類棚スペース７で可動棚９の配列可能であり、裏側は小物類棚スペース８でＬ型差し込み小棚１０の配列可能としている。
【００１５】  次に、長尺蝶番１２の構成は、上下対称の回転受板１３付きで、キッチン間仕切り１９の壁小口２０に両面テープ１７で貼って固定ビス１６で止めた、マルチ戸棚１の上下に先付けした戸棚固定蝶番板１４一体を持ち上げて、回転受板１３に挟み込み回転軸ボルト１５を入れて締め付け回動調整をする。
【００１６】  以下、上記構成の設置方法を箇条書きで説明する。
１  設置壁小口２０に長尺蝶番１２の取り付け位置記入。
２  長尺蝶番１２の背面に両面テープ１７を貼り壁小口２０に固定ビス１６で止める。
３  マルチ戸棚１内部の剛性中背板２上下位置芯に戸棚固定蝶番板１４を固定ビス１６で    止める（事前実施可能）。
４  同上のマルチ戸棚１を持ち上げ上下の戸棚固定蝶番板１４を、長尺蝶番１２上下の回    転受板１３を挟み込ませて、回転軸ボルト１５を入れて締め付ける。
５  最後に１８０度の回動及び調整して完了である。
【符号の説明】
【００１７】  １    マルチ戸棚
２    剛性中背板
３    側板
４    天板
５    底板
６    両開き扉
７    食器類棚スペース
８    小物類棚スペース
９    可動棚
１０    Ｌ型差し込み小棚
１１    回動補助サポート
１２    長尺蝶番
１３    回転受板
１４    戸棚固定蝶番板
１５    回転軸ボルト
１６    固定ビス
１７    両面テープ
１８    対面式カウンター
１９    間仕切り
２０    壁小口
【図１】
0003210303.tif 000003
【図２】
0003210303.tif 000004
【図３】
0003210303.tif 000005
【図４】
0003210303.tif 000006
【図５】
0003210303.tif 000007
(57)【要約】      （修正有）【課題】走行の安定性をはかるとともに後部座席の子供が濡れるのを防ぐ自転車・小型バイク専用の傘を提供する。【解決手段】傘の形状を空気抵抗が小さく、後方部が長い形状にし、後部座席まで延ばす。【選択図】図５
0003210293.tif 000002
【実用新案登録請求の範囲】
【請求項１】
傘の後方部を長くして後部座席の上まで延ばした自転車・小型バイク専用の傘。
【請求項２】
傘の空気抵抗を小さくした自転車・小型バイク専用の傘。
【考案の詳細な説明】
【考案の詳細な説明】
【技術分野】
【０００１】本考案は、雨天時に防雨効果・晴天時の日傘効果及び空気抵抗の優れた自転車及び小型バイク専用の傘に関する。
【背景技術】
【０００２】従来は通常の傘を取付け具等によって自転車に取付けるものであった。
【考案が解決しようとする課題】
【０００３】本考案は傘を空気抵抗の小さくして走行時の安全を向上させることができる。二人乗り時には後部座席の子供が濡れないようにする。
【考案を解決しようとする手段】
【０００４】傘の厚み薄くを変更して空気抵抗を小さくする。傘の後方部を延ばして後部座席の人が濡れないようにする。
【考案の効果】
【０００５】１、  自転車の走行をより安全にする。
２、  後部座席の子供が濡れないようにする。
【図面の簡単な説明】
【図１】一人乗り用自転車に一人乗り用の傘を取付けた斜視図である。
【図２】一人乗り用自転車に一人乗り用の傘を取付けた側面図である。
【図３】一人乗り用自転車に一人乗り用の傘を取付けた上面図である。
【図４】二人乗り用自転車に二人乗り用の傘を取付けた斜視図である。
【図５】二人乗り用自転車に二人乗り用の傘を取付けた側面図である。
【図６】二人乗り用自転車に二人乗り用の傘を取付けた上面図である。
【符号の説明】１、  一人乗り用の傘
２、  二人乗り用の傘
【図１】
0003210293.tif 000003
【図２】
0003210293.tif 000004
【図３】
0003210293.tif 000005
【図４】
0003210293.tif 000006
【図５】
0003210293.tif 000007
【図６】
0003210293.tif 000008
【手続補正書】
【提出日】平成29年2月14日(2017.2.14)
【手続補正１】
【補正対象書類名】実用新案登録請求の範囲
【補正対象項目名】全文
【補正方法】変更
【補正の内容】
【実用新案登録請求の範囲】
【請求項１】
傘の後方部を長くして後部座席の上まで延ばした自転車・小型バイク専用の傘。
【請求項２】
傘の空気抵抗を小さくしたことを特徴とする請求項１に記載の自転車・小型バイク専用の傘。
(57)【要約】      （修正有）【課題】切花を長時間にわたって輸送するための切花輸送用の容器を提供する。【解決手段】切花２は輸送用の容器３に立植され、容器３には亜炭５を含んだ水成二酸化塩素水溶液４が収容されている。【選択図】図１
0003210296.tif 000002
【実用新案登録請求の範囲】
【請求項１】
切花を長時間にわたって輸送する梱包方法であって、前記切花は輸送用の容器に立植され、前記容器には亜炭を含んだ水成二酸化塩素水溶液が収容されていることを特徴とする植物の輸送時における滅菌用延命剤。
【請求項２】
前記水成二酸化塩素水溶液濃度が、５〜２０ｐｐｍであることを特徴とする請求項１記載の植物の輸送時における滅菌用延命剤。
【考案の詳細な説明】
【技術分野】
【０００１】本案件は、植物輸送時の滅菌用延命剤。
【背景技術】
【０００２】  様々な植物延命剤流通しているが灰色かび病などの病気に効果の上がる病原菌の滅菌用延命剤が未だに商品化に至っていない。
【考案の概要】
【考案が解決しようとする課題】
【０００３】  出荷時は問題ない植物の商品が、輸送中に灰色かび病が発生し、花や葉などが急激に傷んでしまい商品価値を喪失してしまう。
【課題を解決するための手段】
【０００４】  この課題を解決するために本考案は、切花を長時間にわたって輸送する梱包方法であって、切花には亜炭を含んだ水成二酸化塩素水溶液が収容されている滅菌用延命剤。
【考案の効果】
【０００５】  本考案により花卉輸送時の滅菌により病気の発生を防止することにより延命が可能になる。
【図面の簡単な説明】
【０００６】
【図１】  本考案の立体図である。
【考案を実施するための形態】
【０００７】  １は輸送用箱、２は切花、３は切花輸送用の容器、４は水成二酸化塩素水溶液、５は亜炭であり、本考案は切花輸送用の容器３内に、亜炭５を入れ、水成二酸化塩素水溶液４を入れた容器に切花２を立植させる。この様に構成し梱包した輸送用箱１を完成させる。
【符号の説明】
【０００８】１  輸送用箱
２  切花
３  切花輸送用の容器
４  水成二酸化塩素水溶液
５  亜炭
【図１】
0003210296.tif 000003
【手続補正書】
【提出日】平成29年2月13日(2017.2.13)
【手続補正１】
【補正対象書類名】実用新案登録請求の範囲
【補正対象項目名】全文
【補正方法】変更
【補正の内容】
【実用新案登録請求の範囲】
【請求項１】
切花を長時間にわたって輸送するための切花輸送用の容器であって、前記切花は輸送用の容器に立植され、前記容器には亜炭を含んだ水成二酸化塩素水溶液が収容されていることを特徴とする切花輸送用の容器。
【請求項２】
前記水成二酸化塩素水溶液濃度が、５〜２０ｐｐｍであることを特徴とする請求項１記載の切花輸送用の容器。